(57)【特許請求の範囲】
【請求項１】
電線を挿通可能な挿通部が形成された本体部を備え、前記本体部は、挿通された前記電線に掛止可能な掛止部と、電線上の飛来物を分断可能な分断手段であって、少なくとも前記挿通部を介して前記掛止部に対向する対向分断部を含む分断手段と、を有し、前記掛止部及び前記対向分断部のうちの少なくとも一方は、前記掛止部と前記対向分断部との対向距離を調整可能に構成され、前記掛止部は、前記対向分断部に対向し、且つ挿通された前記電線に当接可能な基礎受面を有する基礎部と、前記対向分断部に対向し、且つ挿通された前記電線に当接可能な着脱受面を有する着脱部であって、前記基礎受面よりも前記着脱受面が前記対向分断部側に配置されるように、前記基礎部に対して着脱可能な着脱部と、を備えることを特徴とする飛来物除去装置。
【請求項２】
前記掛止部は、前記掛止部と前記対向分断部との対向距離を調整可能に構成された請求項１に記載の飛来物除去装置。
【請求項３】
前記掛止部が前記電線に掛止された状態で前記分断手段よりも下方に位置する回収部を備える請求項１又は２に記載の飛来物除去装置。
【請求項４】
前記本体部は、前記掛止部と前記対向分断部とが対向する方向、且つ前記挿通部への電線の挿通方向に直交する方向において、前記挿通部を介して対向する一対の側部を備え、前記分断手段は、前記一対の側部のうちの少なくとも一方に位置する側方分断部を含む請求項１〜３の何れか１項に記載の飛来物除去装置。
【請求項５】
前記分断手段は、熱溶断手段である請求項１〜４の何れか１項に記載の飛来物除去装置。
【発明の詳細な説明】
【技術分野】
【０００１】
本発明は、電線上の飛来物を除去するための飛来物除去装置に関する。
【背景技術】
【０００２】
一般的に、送電線や配電線等の電線は、高所に架け渡されているため、上空を舞う物が電線に飛来することがある。上空を舞う物は様々であり、釣糸等の糸状物が、複数の電線に亘って巻き付くことで電線に絡まることがある。この場合、釣糸等が、隣り合う電線同士を接近させてしまうことがある。そのため、電線に飛来した飛来物によって、停電等の事故が誘発される虞がある。これに伴い、電線上の飛来物を除去するための飛来物除去装置が提供されている（特許文献１）。
【０００３】
この特許文献１に記載の飛来物除去装置は、本体部と、該本体部の下面に取り付けられた車輪と、前記本体部に取り付けられ、且つ該本体部の前方へ延びる塑性変形可能な棒状の分断手段と、を備える。
【０００４】
かかる構成の飛来物除去装置を使用する際、電線上の飛来物の絡まり状況を確認した上で、飛来物の絡まり状況に応じて、予め分断手段の形状を設定する。分断手段の形状を設定した後、飛来物除去装置を電線まで持ち上げ、本体部の前方が飛来物側を向くように、飛来物が絡まった電線に車輪を掛止させる。これにより、飛来物除去装置は、電線上に載せられる。
【０００５】
電線上に載せられた飛来物除去装置は、車輪を回転させることで、電線に沿って移動して飛来物に接近することができる。分断手段は本体部の前方へ延びているため、飛来物除去装置が飛来物に接近すると、分断手段は、飛来物が電線に絡まった部分と接触する。そこから更に前進すると、分断手段は、電線上の飛来物を分断することができる。このように、飛来物除去装置は、飛来物を電線から除去することができる。
【先行技術文献】
【特許文献】
【０００６】
【特許文献１】特開２００８−１７２９５６号公報
【発明の概要】
【発明が解決しようとする課題】
【０００７】
ところで、電線には太いものや細いものがあり、現場によって、電線の太さは様々である。そのため、かかる構成の飛来物除去装置は、様々な太さの電線に使用される。
【０００８】
ところが、上記従来の飛来物除去装置は、車輪に電線が嵌り込むための溝が形成されている。該溝は、車輪の中心に向かうにつれて狭くなっているため、電線の太さによって、電線と車輪との掛止位置が変化する。そのため、電線に車輪を掛止させたときの電線に対する本体部の位置は、電線の太さによって異なる。
【０００９】
即ち、細い電線に車輪を掛止させた場合には、電線は車輪の溝に深く嵌り込むため、本体部と電線とが近づく。これに対して、太い電線に車輪を掛止させた場合には、電線は車輪の溝に対して浅く嵌り込むため、本体部と電線とは離れる。
【００１０】
分断手段は本体部に取り付けられているため、電線に対する分断手段の位置も、電線の太さによって異なる。即ち、細い電線に車輪を掛止させた場合には、分断手段と電線とが近づき、太い電線に車輪を掛止させた場合には、分断手段と電線とが離れる。従って、飛来物の絡まり状況に応じて、予め分断手段の形状を設定しても、車輪を電線に掛止したときに、分断手段が想定していた位置からずれてしまうことがある。そのため、飛来物除去装置を飛来物に接近させても、分断手段が飛来物を分断することができず、飛来物が電線上に残ってしまう。
【００１１】
この場合、作業者は、飛来物除去装置を電線から降ろして、再度、分断手段の形状を設定する必要がある。従って、かかる構成の飛来物除去装置は、分断手段が電線に対して適当な位置となるまで、何度も飛来物除去装置を電線から降ろして分断手段の形状を設定し直す必要があり、飛来物の除去作業が煩雑であるという問題があった。
【００１２】
そこで、本発明は、かかる実情に鑑み、様々な太さの電線に対して、飛来物の除去作業を簡単にすることのできる飛来物除去装置を提供することを課題とする。
【課題を解決するための手段】
【００１３】
本発明に係る飛来物除去装置は、電線を挿通可能な挿通部が形成された本体部を備え、前記本体部は、挿通された前記電線に掛止可能な掛止部と、電線上の飛来物を分断可能な分断手段であって、少なくとも前記挿通部を介して前記掛止部に対向する対向分断部を含む分断手段と、を有し、前記掛止部及び前記対向分断部のうちの少なくとも一方は、前記掛止部と前記対向分断部との対向距離を調整可能に構成され、前記掛止部は、前記対向分断部に対向し、且つ挿通された前記電線に当接可能な基礎受面を有する基礎部と、前記対向分断部に対向し、且つ挿通された前記電線に当接可能な着脱受面を有する着脱部であって、前記基礎受面よりも前記着脱受面が前記対向分断部側に配置されるように、前記基礎部に対して着脱可能な着脱部と、を備えることを特徴とする。
【００１４】
かかる構成によれば、電線の太さに応じて、掛止部と対向分断部との対向距離を調整することができる。これにより、様々な太さの電線に対して、電線に対する対向分断部の位置を一定に設定することができる。よって、対向分断部の位置を何度も調整しなくても、対向分断部は、電線上の飛来物を分断することができる。
また、着脱受面が基礎受面よりも対向分断部側に配置されるため、着脱部が基礎部に着けられると、掛止部と対向分断部との対向距離を短く設定することができる。従って、着脱部が基礎部に対して着脱されるだけで、電線の太さに応じて掛止部と対向分断部との対向距離を調整することができる。
【００１５】
本発明の一態様として、前記掛止部は、前記掛止部と前記対向分断部との対向距離を調整可能に構成されていてもよい。
【００１６】
かかる構成によれば、掛止部は、掛止部と対向分断部との対向距離を調整することができる。そのため、掛止部の電線に対する掛止位置を調整すれば、様々な太さの電線に対して、対向分断部の位置を一定に設定することができる。従って、かかる構成によれば、掛止部と対向分断部との対向距離を容易に調整することができる。
【００１９】
本発明の別の態様として、前記掛止部が前記電線に掛止された状態で前記分断手段よりも下方に位置する回収部を備えていてもよい。
【００２０】
かかる構成によれば、飛来物が回収を要する回収目的物を含んでいる場合に、分断手段で分断された飛来物が回収目的物を含んで落下しても、回収部によって回収することができる。
【００２１】
本発明の別の態様として、前記本体部は、前記掛止部と前記対向分断部とが対向する方向、且つ前記挿通部への電線の挿通方向に直交する方向において、前記挿通部を介して対向する一対の側部を備え、前記分断手段は、前記一対の側部のうちの少なくとも一方に位置する側方分断部を更に含んでいてもよい。
【００２２】
かかる構成によれば、掛止部が電線に掛止されると、側方分断部は、電線の側端側における少なくとも一方に位置する。そのため、側方分断部は、電線の側端側に位置する飛来物を分断することができる。
【００２３】
本発明の更に別の態様として、前記分断手段は、熱溶断手段であってもよい。
【００２４】
かかる構成によれば、熱溶断手段は、熱を加えることによって溶ける熱可塑性のある材料で形成された飛来物を容易に分断（溶断）することができる。
【発明の効果】
【００２５】
以上より、本発明によれば、掛止部と対向分断部との対向距離を調整することで様々な太さの電線に対して対向分断部の位置を略一定の位置に設定することができるから、飛来物の除去作業を簡単にすることのできる飛来物除去装置を提供することができる。
【図面の簡単な説明】
【００２６】
【図１】図１は、本発明の一実施形態に係る飛来物除去装置の正面図である。
【図２】図２は、同実施形態において着脱部が着けられた状態を示す正面図である。
【図３】図３は、同実施形態に係る飛来物除去装置の図１における側面図である。
【図４】図４は、同実施形態に係る飛来物除去装置の斜視図である。
【図５】図５は、同実施形態に係る飛来物除去装置の使用状態を説明する図である。
【図６】図６は、分断手段の変形例である。
【図７】図７は、分断手段の更に別の変形例である。
【図８】図８は、他実施形態に係る飛来物除去装置の正面図である。
【図９】図９は、掛止部が、該掛止部と対向分断部との対向距離を調整する図である。
【図１０】図１０は、対向分断部が、掛止部と該対向分断部との対向距離を調整する図であり、図１０（ａ）は、対向分断部の位置が、可変である場合、図１０（ｂ）は、対向分断部の位置が選択可能である場合を説明するための図である。
【発明を実施するための形態】
【００２７】
以下、本発明の一実施形態に係る飛来物除去装置について、図面を参照しつつ説明する。
【００２８】
本実施形態に係る飛来物除去装置１は、図１〜図５に示すように、電線Ｗを挿通可能な挿通部３が形成された本体部２を備え、本体部２は、挿通された電線Ｗに掛止可能な掛止部４と、電線Ｗ上の飛来物Ｔを分断可能な分断手段５であって、少なくとも挿通部３を介して掛止部４に対向する対向分断部５１を含む分断手段５と、を有し、掛止部４及び対向分断部５１のうちの少なくとも一方は、掛止部４と対向分断部５１との対向距離Ｄを調整可能に構成されている。本実施形態では、掛止部４が該掛止部４と対向分断部５１との対向距離Ｄを調整可能に構成されている。また、本体部２は、掛止部４と対向分断部５１とが対向する方向、且つ挿通部３への電線Ｗの挿通方向に直交する方向において、挿通部３を介して対向する一対の側部２１ａを備える。
【００２９】
以下、挿通部３への電線Ｗの挿通方向を前後方向、掛止部４と対向分断部５１とが対向する方向を上下方向、前後方向及び上下方向に直交する方向を左右方向とする。前後方向のうちの分断手段５が位置する側を前方とし、上下方向のうちの掛止部４が位置する側を上方とし、左右方向のうちの前進方向の右側を右方とし、図面には、それぞれの方向に対応する座標軸が必要に応じて図示されている。
【００３０】
本実施形態に係る飛来物除去装置１は、掛止部４が電線Ｗに掛止された状態で分断手段５よりも下方に位置する回収部７と、分断手段５の電源となる電源部８と、本体部２を電線Ｗに対して安定させるための錘部９と、本体部２を電線Ｗに沿って移動させるための移動手段１０と、を更に備える。
【００３１】
飛来物Ｔとしては、ルアーの付いた釣糸、ビニール袋、テープやひも等の、長尺で容易に変形する物が考えられる。
【００３２】
本実施形態の本体部２は、図３及び図４に示すように、分断手段５が設けられた前方部２１と、前方部２１よりも後方に位置する後方部２２とを有する。
【００３３】
前方部２１には、電線Ｗを挿通するための前挿通部３ａが形成されている。前挿通部３ａは、前方部２１を前後方向に貫通している。前挿通部３ａは、前後方向に並ぶ第一挿通部３ａ１と第二挿通部３ａ２とから成る。
【００３４】
前方部２１は、第一挿通部３ａ１及び電線Ｗを第一挿通部３ａ１へ誘導する誘導部２３が形成された前面部２１１と、前面部２１１よりも後方に位置する延出部２１２とを有する。
【００３５】
前面部２１１は、所定の厚さを有する板状に形成されている。本実施形態の前面部２１１は、円板状に形成されている。前面部２１１は、第一挿通部３ａ１の内周面を形成する内壁部３１を有する。
【００３６】
内壁部３１は、挿通された電線Ｗの右側に位置する右側壁部３２と、挿通された電線Ｗの左側に位置する左側壁部３３と、右側壁部３２及び左側壁部３３に連続して最も上方に位置する中央壁部３４とを有する。
【００３７】
第一挿通部３ａ１は、板厚方向に前面部２１１を貫通する孔である。図１及び図２に戻って示すように、本実施形態では、第一挿通部３ａ１は、丸孔状に形成されている。
【００３８】
第一挿通部３ａ１は、前面部２１１の中心Ｃから前面部２１１の外周縁側にずれた位置に形成されている。第一挿通部３ａ１は、前面部２１１の中心Ｃよりも上方に形成されている。本実施形態の第一挿通部３ａ１は、第一挿通部３ａ１の中心と前面部２１１の中心Ｃとが上下方向で並ぶように形成されている。
【００３９】
掛止部４は、図２に示すように、対向分断部５１に対向し、且つ挿通された電線Ｗに当接可能な基礎受面４１１を有する基礎部４１と、対向分断部５１に対向し、且つ挿通された電線Ｗに当接可能な着脱受面４２２を有する着脱部４２であって、基礎受面４１１よりも着脱受面４２２が対向分断部５１側に配置されるように、基礎部４１に対して着脱可能な着脱部４２と、を備える。
【００４０】
掛止部４は、挿通部３を介して対向分断部５１と上下に対向している。即ち、挿通部３は、掛止部４よりも下方に位置している。
【００４１】
掛止部４は、前面部２１１に設けられた前掛止部４５と、前掛止部４５よりも後方に位置する後述する後掛止部４６とを有する。本実施形態では、前掛止部４５が基礎部４１と、着脱部４２とを備える。
【００４２】
前掛止部４５は、前面部２１１の内壁部３１に設けられている。具体的には、前掛止部４５は、中央壁部３４に位置している。本実施形態では、中央壁部３４が基礎部４１である。中央壁部３４の内壁面が基礎受面４１１である。そのため、本実施形態では、前掛止部４５は、第一挿通部３ａ１を介して対向分断部５１と上下に対向している。
【００４３】
着脱部４２は、内壁部３１に対して着脱可能に構成されている。具体的には、着脱部４２は、中央壁部３４に対して着脱可能に構成されている。着脱部４２は、中央壁部３４に着けるための取付部（図示しない）を有する。取付部は、着脱受面４２２とは反対側に位置している。
【００４４】
本実施形態の着脱部４２は、半円状に形成されている。円弧部に取付部が設けられ、直径部分に着脱受面４２２が形成されている。着脱部４２が中央壁部３４に着けられると、着脱受面４２２は、基礎受面４１１よりも対向分断部５１側に位置する。
【００４５】
分断手段５は、上述のように、対向分断部５１と、一対の側部２１ａのうちの少なくとも一方に位置する側方分断部５２と、を有する。分断手段５は、対向分断部５１の上方に位置する上方分断部５３を更に有する。本実施形態では、分断手段５は、一対の側部２１ａの双方に側方分断部５２を有する。このため、分断手段５は、第一挿通部３ａ１を囲むように配置されている。本実施形態の分断手段５は、熱溶断手段である。
【００４６】
対向分断部５１は、第一挿通部３ａ１の下方に位置している。即ち、電線Ｗは対向分断部５１よりも上に挿通される。そのため、電線Ｗが挿通部３に挿通されると、対向分断部５１は、電線Ｗの下側に位置する。
【００４７】
対向分断部５１は、分断部５１１と、該分断部５１１を前面部２１１に対して固定するための固定部５１２を有する。分断部５１１は、複数の電熱線をより合わせて細長く形成されている。本実施形態の電熱線は、ニクロム線である。
【００４８】
固定部５１２は、分断部５１１の両端に設けられている。固定部５１２は、分断部５１１を直線状に張った状態で（湾曲しないように）分断部５１１を前面部２１１に対して固定している。本実施形態の固定部５１２は、ネジである。具体的には、ネジ山を前面部２１１に対して所定の深さまでねじ込むと共に、ネジの頭部と前面部２１１との間にあるネジ山にニクロム線を巻付けることによって、分断部５１１は、前面部２１１に対して固定されている。
【００４９】
側方分断部５２は、右方に位置する第一分断部５２１と、左方に位置する第二分断部５２２とを有する。第一分断部５２１、第二分断部５２２及び上方分断部５３はそれぞれ、分断部５２１ａ，５２２ａ，５３１と、該分断部５２１ａ，５２２ａ，５３１を前面部２１１に対して固定するための固定部５２１ｂ，５２２ｂ，５３２を有する。各固定部５２１ｂ，５２２ｂ，５３２は、各分断部５２１ａ，５２２ａ，５３１を直線状に張った状態で（湾曲しないように）前面部２１１に対して固定している。分断部５２１ａ，５２２ａ，５３１は、複数の電熱線をより合わせて細長く形成されている。本実施形態の電熱線は、ニクロム線である。
【００５０】
誘導部２３は、長孔状に形成されている。誘導部２３は、第一挿通部３ａ１から前面部２１１の径外方向に延びて、前面部２１１の外周縁上で開口している。誘導部２３は、第一挿通部３ａ１から下方に延びる接続部２３２と、左右方向に延びる導入部２３１とから構成されている。前面部２１１の外周縁上には、誘導部２３の開口Ｐを形成する一対の突出部２１３が設けられている。
【００５１】
接続部２３２は、左右方向の長さが、上下方向の長さよりも長く形成されている。接続部２３２は、左右方向が一対の側面２３３によって閉じられている。一対の側面２３３は、右方に位置する右側面２３４と、左方に位置する左側面２３５とを有する。
【００５２】
導入部２３１は、前面部２１１の中心Ｃを通る左右方向に延びる。導入部２３１は、左右方向に延びる一対の側壁部２４と、上下方向に延びる終壁部２５とによって形成されている。一対の側壁部２４は、上方に位置する第一側壁部２４１と、下方に位置する第二側壁部２４２とを有する。第一側壁部２４１の一端２４１ａと終壁部２５の一端２５ａとは、間隔を開けて配置されている。
【００５３】
第一側壁部２４１の一端２４１ａは、右側面２３４と連続している。終壁部２５の一端２５ａは、左側面２３５と連続している。そのため、本実施形態では、接続部２３２と導入部２３１とは、Ｌ状をなしている。
【００５４】
図３及び図４に示すように、延出部２１２には、電線Ｗを挿通する第二挿通部３ａ２が形成されている。第二挿通部３ａ２は、延出部２１２を前後方向に貫通している。延出部２１２は、筒状の部材によって形成されている。延出部２１２には、一端から他端に亘ってスリットＳ１が形成されている。延出部２１２は、前面部２１１の外周縁から後方に延びている。前面部２１１と延出部２１２とは、誘導部２３の開口Ｐと延出部２１２のスリットＳ１を対応させた状態で互いに固定されている。
【００５５】
後方部２２には、電線Ｗを挿通するための後挿通部３ｂが形成されている。後挿通部３ｂは、後方部２２を前後方向に貫通している。後方部２２は、筒状の部材によって形成されている。後方部２２には、一端から他端に亘ってスリットＳ２が形成されている。
【００５６】
後掛止部４６は、後方部２２に設けられている。そのため、後掛止部４６は、対向分断部５１に対して後方にずれた位置で、挿通部３を介して対向分断部５１と上下に対向している。具体的には、後掛止部４６は、前挿通部３ａ及び後挿通部３ｂを介して対向分断部５１と上下に対向している。後掛止部４６は、スリットＳ２を避けた位置に設けられている。
【００５７】
後方部２２は、延出部２１２から後方に延びている。後方部２２は、延出部２１２に対して回転可能に構成されている。後方部２２は、外径が延出部２１２の内径と略同一となるように形成されている。このため、後方部２２は、延出部２１２に対して一端を嵌め込み可能に形成されている。
【００５８】
後方部２２が延出部２１２に嵌め込まれることによって、前方部２１と後方部２２とが連結されると、前方部２１の前挿通部３ａと後方部２２の後挿通部３ｂとが連続する。このように、連続した前挿通部３ａと後挿通部３ｂとは、本体部２の前後方向に貫通する挿通部３となる。
【００５９】
回収部７は、本体部２に取り付けられている。本実施形態の回収部７は、図４及び図５に示すように、回収目的物を受ける回収体７１と、該回収体７１を本体部２に吊り下げるための吊下体７２とを有する。回収体７１は、掛止部４が電線Ｗに掛止されると、分断手段５の下方に水平方向に広がるように構成されている。本実施形態の回収体７１は網である。
【００６０】
吊下体７２は、本体部２に掛けられる。本体部２には、吊下体７２を掛けるための第一取付部６１が取り付けられている。本実施形態の吊下体７２は、ロープである。吊下体７２は、三角形を構成する三点において回収体７１を本体部２に吊り下げている。そのため、回収部７は、掛止部４が電線Ｗに掛止されると、分断手段５の下方で水平方向に広がる。
【００６１】
電源部８は、本体部２に取り付けられている。本実施形態の電源部８は、本体部２の外側における延出部２１２の外周面に取り付けられている。具体的には、前面部２１１の中心Ｃを介して掛止部４と上下に対向する位置に取り付けられている。
【００６２】
錘部９は、重心と掛止部４とが上下方向に配列されるように本体部２に取り付けられている。即ち、掛止部４が電線Ｗに掛止されると、上下方向と鉛直方向とが略一致し、錘部９の重心は、掛止部４の略真下に位置する。本実施形態では、電源部８が錘部９として機能している。
【００６３】
移動手段１０は、本体部２に固定される固定手段１０１と、本体部２を電線Ｗの軸線方向に移動させるための操作部１０２とを有する。本体部２には、固定手段１０１を固定するための第二取付部６２が取り付けられている。本実施形態の移動手段１０は、ロープである。固定手段１０１によってロープの一端を第二取付部６２に固定し、操作部１０２を引っ張ることによって、本体部２を電線Ｗに対して移動させる（図５参照）。
【００６４】
本実施形態にかかる飛来物除去装置１の説明は以上であり、次に、飛来物除去装置１の使用方法について説明する。
【００６５】
まず、電線Ｗの太さを確認した上で、必要に応じて着脱部４２を基礎部４１に対して取り付ける。具体的には、電線Ｗが太い場合には、着脱部４２を取り付けずに使用するか、又は取付部と着脱受面４２２との幅が狭い着脱部４２を基礎部４１に対して取り付ける。電線Ｗが細い場合には、取付部と着脱受面４２２との幅が広い着脱部４２を基礎部４１に対して取り付ける。
【００６６】
次に、後方部２２を延出部２１２に対して嵌め合わせる。後方部２２を延出部２１２に対して回転させることで、後方部２２のスリットＳ２と延出部のスリットＳ１とが前後方向で一致するように位置合わせする。そして、前面部２１１が飛来物Ｔを向くように、位置合わせしたスリットＳ１，Ｓ２から誘導部２３に電線Ｗを案内し、電線Ｗを挿通部３に挿通させる。
【００６７】
電線Ｗを掛止部４に掛止させ、飛来物除去装置１を電線Ｗに載せる。この状態で、分断手段５を所定の位置に配置することによって、対向分断部５１を電線Ｗの下方に、側方分断部５２を電線Ｗの側方に、上方分断部５３を電線Ｗの上方に位置させる。このように、電線Ｗを分断手段５によって囲む。
【００６８】
電源部８の電源を入れることによって、分断手段５を加熱する。そして、移動手段１０の操作部１０２を操作することによって（ロープを引っ張ることによって）、飛来物除去装置１を電線Ｗに沿って移動させる。分断手段５が飛来物Ｔに接触すると、飛来物除去装置１の移動が規制される。このとき、飛来物除去装置１の進行方向に少しロープを引く。これにより、飛来物Ｔが分断されると、飛来物除去装置１は進行方向に移動するため、飛来物Ｔが分断されたことを確認する。
【００６９】
以上のように構成された飛来物除去装置１は、掛止部４と対向分断部５１との対向距離Ｄが調整可能に構成されているため、電線Ｗの太さに応じて、掛止部４と対向分断部５１との対向距離Ｄを調整することができる。これにより、様々な太さの電線Ｗに対して、電線Ｗに対する対向分断部５１の位置を一定に設定することができる。よって、対向分断部５１の位置を何度も調整しなくても、対向分断部５１は、電線Ｗ上の飛来物Ｔを分断することができる。
【００７０】
また、上記構成の飛来物除去装置１では、掛止部４の電線Ｗに対する掛止位置を調整すれば、様々な太さの電線Ｗに対して、対向分断部５１の位置を一定に設定することができる。従って、かかる構成によれば、掛止部４と対向分断部５１との対向距離Ｄを容易に調整することができる。
【００７１】
また、挿通部３に挿通される電線Ｗが細い場合、掛止部４と対向分断部５１との対向距離Ｄを小さくすることにより、電線Ｗの下端面近くに対向分断部５１を位置させることができる。これにより、電線Ｗの下方に回収目的物が位置している場合、該回収目的物と電線Ｗとの間で飛来物Ｔを確実に分断することができる。そのため回収目的物を容易に回収することができる。
【００７２】
また、着脱受面４２２は、基礎受面４１１よりも対向分断部５１側に配置されるため、着脱部４２が基礎部４１に着けられると、掛止部４と対向分断部５１との対向距離Ｄを短く設定することができる。従って、着脱部４２が基礎部４１に対して着脱されるだけで、電線Ｗの太さに応じて掛止部４と対向分断部５１との対向距離Ｄを調整することができる。
【００７３】
上記構成の飛来物除去装置１は、掛止部４が電線Ｗに掛止されると、分断手段５よりも下方に位置する回収部７を備えている。そのため、飛来物Ｔが回収を要する回収目的物を含んでいる場合に、分断手段５で分断された飛来物Ｔが回収目的物を含んで落下しても、回収部７によって回収することができる。
【００７４】
上記構成の飛来物除去装置１では、掛止部４が電線Ｗに掛止されると、側方分断部５２は、電線Ｗの側端側における少なくとも一方に位置する。そのため、側方分断部５２は、電線Ｗの側端側に位置する飛来物Ｔを分断することができる。
【００７５】
また、分断手段５が熱溶断手段であるため、分断手段５は、熱を加えることによって溶ける熱可塑性のある材料で形成された飛来物Ｔを容易に分断（溶断）することができる。
【００７６】
また、掛止部４が前掛止部４５と後掛止部４６とを有しているため、本体部２は、電線Ｗに対して二点で掛止される。よって、本体部２は、電線Ｗに対して安定する。また、前掛止部４５は、前方部２１における前面部２１１に設けられ、後掛止部４６は、後方部２２に設けられている。即ち、前掛止部４５と後掛止部４６とは前後方向において間隔をあけて設けられているため、本体部２は、前後方向に揺れ難くなり、電線Ｗに対して更に安定する。従って、かかる構成によれば、飛来物除去装置１の電線Ｗ上での取扱いが容易となる。
【００７７】
また、後方部２２は、前方部２１に対して回転可能に構成されている。電線Ｗが挿通部３に挿通された状態で後方部２２を回転することによって、延出部２１２のスリットＳ１と後方部２２のスリットＳ２との位置をずらすことができる。これにより、電線Ｗを挿通部３に誘導するための隙間の一部が塞がれ、本体部２が電線Ｗから外れるのを防止することができる。
【００７８】
かかる構成の飛来物除去装置１では、対向分断部５１の固定部５１２は、分断部５１１を直線状に張った状態で（湾曲しないように）分断部５１１を前面部２１１に対して固定している。そのため、分断部５１１は、変形し難く、本体部２が電線Ｗに沿って移動しても、分断部５１１と電線Ｗとの位置関係が変化し難い。従って、かかる構成の飛来物除去装置１では、分断部５１１は、電線Ｗに対して絡んだ飛来物Ｔの絡み部分を通過することができ、飛来物Ｔを除去することができる。
【００７９】
かかる構成の飛来物除去装置１では、移動手段１０は、固定手段１０１を本体部２に固定し、操作部１０２を操作するだけで、本体部２を電線Ｗに対して移動させることができる。そのため、簡易な手段で、本体部２を飛来物Ｔに接近させることができる。
【００８０】
かかる構成の飛来物除去装置１では、錘部９は、重心と掛止部４とが上下方向に配列されるように本体部２に取り付けられている。そのため、掛止部４が電線Ｗに掛止されると、掛止部４は必ず上方に位置する。従って、かかる構成の飛来物除去装置１は、安定して使用することができる。
【００８１】
また、かかる構成の飛来物除去装置１では、誘導部２３の接続部２３２が、第一挿通部３ａ１から下方に延びているため、操作中に本体部３が挿通された電線Ｗに対して回転しても、電線Ｗが挿通部３から脱落し難い。また、導入部２３１は左右方向に延びるとともに、前面部２１１の外周縁上で開口しているため、電線Ｗに対して本体部２を横から接近させることができる。そのため、かかる構成の飛来物除去装置１は、電線Ｗに容易に載せることができる。
【００８２】
また、かかる構成の飛来物除去装置１では、前面部２１１の外周縁上に、誘導部２３の開口Ｐを形成する一対の突出部２１３が設けられている。これにより、前面部２１１の左右方向の重さのバランスをとることができ、電線Ｗに対して安定して使用することができる。即ち、誘導部２３が形成されたことによって前面部２１１の右側の重量が軽くなるに伴い、一対の突出部２１３を設けることにより、誘導部２３部分の重量を補うことができる。
【００８３】
尚、本発明の飛来物除去装置１は、上記実施形態に限定されるものではなく、本発明の要旨を逸脱しない範囲内において種々変更を加え得ることは勿論である。
【００８４】
上記実施形態では、分断手段５は、熱溶断手段である場合について説明したが、これに限定されるものではない。分断手段５は、刃、ナイフ、ハサミ等の切断手段であってもよい。
【００８５】
上記実施形態では、回収体７１は網である場合について説明したが、これに限定されるものではない。回収体７１は、掛止部４が電線Ｗに掛止されると、分断手段５の下方に水平方向に広がるものであればよく、板、布、箱、袋等であってもよい。
【００８６】
上記実施形態では、分断手段５は、対向分断部５１、第一分断部５２１、第二分断部５２２及び上方分断部５３を有することによって、第一挿通部３ａ１が分断手段５によって囲まれている場合について説明したが、これに限定されるものではない。分断手段５は、図６（ａ）に示すように、対向分断部５１のみを有していてもよい。また、図６（ｂ）に示すように、対向分断部５１、第一分断部５２１及び第二分断部５２２を有していてもよい。
【００８７】
上記実施形態では、対向分断部５１の固定部５１２は、分断部５１１を直線状に張った状態で（湾曲しないように）分断部５１１を前面部２１１に対して固定している場合について説明したが、これに限定されるものではない。図７（ａ）に示すように、対向分断部５１の分断部５１１は、湾曲した状態で前面部２１１に固定されていてもよい。また、図７（ｂ）に示すように、対向分断部５１、第一分断部５２１、第二分断部５２２及び上方分断部５３における各分断部５１１，５２１ａ，５２２ａ，５３１は、電線Ｗの外周を湾曲して囲んでいてもよい。
【００８８】
上記実施形態では、誘導部２３の導入部２３１と接続部２３２とがＬ状をなしている場合について説明したが、これに限定されるものではない。図８に示すように、誘導部２３は、導入部２３１のみを有し、導入部２３１が直接第一挿通部３ａ１から前面部２１１の径外方向に延びていてもよい。
【００８９】
また、図８に示すように、導入部２３１は、第一挿通部３ａ１から上方に延びていてもよい。この場合、掛止部４は、後方部２２や延出部２１２に設けられていてもよい。即ち、前面部２１１に前掛止部４５を設けることができない場合には、前掛止部４５は、延出部２１２に設けられ、後掛止部４６は、後方に２２に設けられていてもよい。また、前掛止部４５及び後掛止部４６の双方が、延出部２１２、又は後方部２２の一方に設けられていてもよい。何れの場合でも、掛止部４は、対向分断部５１に対して後方にずれた位置で、挿通部３を介して対向分断部５１と上下に対向することとなる。
【００９０】
上記実施形態では、着脱部４２を中央壁部３４に対して着脱することによって、掛止部４は、該掛止部４と対向分断部５１との対向距離Ｄを調整可能である場合について説明したが、これに限定されるものではない。図９に示すように、基礎部４１の基礎受面４１１が上下方向にスライド可能に構成されることによって、掛止部４は、掛止部４と対向分断部５１との対向距離Ｄを調整してもよい。
【００９１】
また、着脱部４２を上下方向に延伸可能に構成することによって、掛止部４と対向分断部５１との対向距離Ｄを調整可能にしてもよい。
【００９２】
上記実施形態では、後掛止部４６は、後方部２２に設けられている場合について説明したが、これに限定されるものではない。後掛止部４６は、前掛止部４５よりも後方に設けられていればよく、延出部２１２に設けられていてもよい。
【００９３】
上記実施形態では、前掛止部４５が、掛止部４と対向分断部５１との対向距離Ｄを調整する場合について説明したが、後掛止部４６が、掛止部４と対向分断部５１との対向距離Ｄを調整してもよい。
【００９４】
上記実施形態では、掛止部４が、該掛止部４と対向分断部５１との対向距離Ｄを調整可能である場合について説明したが、これに限定されるものではない。図１０（ａ）に示すように、対向分断部５１が上下方向にスライド可能に構成されることによって、対向分断部５１が、掛止部４と対向分断部５１との対向距離Ｄを調整するものであってもよい。
【００９５】
また、図１０（ｂ）に示すように、対向分断部５１は、上下方向に複数の固定部５１２を有し、分断部５１１を固定する固定部５１２を選択可能に構成されることによって、掛止部４と対向分断部５１との対向距離Ｄを調整するものであってもよい。即ち、分断部５１１を掛止部４に近い固定部５１２ａに固定することによって、対向距離Ｄを短くすることができる。また、分断部５１１を掛止部４から遠い固定部５１２に固定することによって、対向距離Ｄを長くすることができる。即ち、対向分断部５１の位置を変更するだけで、掛止部４と対向分断部５１との対向距離Ｄを調整することができる。
【００９６】
上記実施形態では、対向分断部５１、第一分断部５２１、第二分断部５２２、及び上方分断部５３における各分断部５１１，５２１ａ，５２２ａ，５３１は、複数の電熱線（ニクロム線）をより合わせて細長い棒状に形成されている場合について説明したが、これに限定されるものではない。各分断部５１１，５２１ａ，５２２ａ，５３１は、飛来物Ｔを分断可能であればどのような形状であってもよい。また、電熱線には、タングステン等のその他の材料が使用されてもよい。更に、熱溶断手段は、電熱線に限られず、レーザーや、その他の手段であってもよい。
【００９７】
上記実施形態では、着脱部４２を中央壁部３４に着ける方法について特に言及しなかったが、例えば、中央壁部３４にスリットを形成し、且つ取付部を該スリットに嵌め込み可能な構成とすることによって、着脱部４２を中央壁部３４に着けてもよい。また、取付部を雄ネジとし、中央壁部３４に雌ネジを形成することによって、取付部と中央壁部３４とを螺着させてもよい。
【００９８】
上記実施形態では、錘部９が本体部２に取り付けられる場合について説明したが、これに限定されるものではない。錘部９は、回収部７に取り付けられていてもよい。これにより、風の影響で回収部７が揺れ、本体部２が不安定になるのを防止することができる。また、回収部７が揺れ難くなることによって、回収目的物を確実に回収することができる。
【００９９】
上記実施形態では、電源部８が本体部２の外側に取り付けられ、電源部８が錘部９として機能している場合について説明したが、電源部８は、本体部２に内蔵されていてもよく、錘部９は、電源部８とは別に設けられていてもよい。
【符号の説明】
【０１００】
１…飛来物除去装置、２…本体部、２１…前方部、２１ａ…一対の側部、２１１…前面部、２１２…延出部、２１３…一対の突出部、２２…後方部、２３…誘導部、２４…一対の側壁部、２４１…第一側壁部、２４２…第二側壁部、２５…終壁部、３…挿通部、３ａ…前挿通部、３ａ１…第一挿通部、３ａ２…第二挿通部、３ｂ…後挿通部、３１…内壁部、３２…右側壁部、３３…左側壁部、３４…中央壁部、４…掛止部、４１…基礎部、４１１…基礎受面、４２…着脱部、４２２…着脱受面、４５…前掛止部、４６…後掛止部、５…分断手段、５１…対向分断部、５２…側方分断部、５２１…第一分断部、５２２…第二分断部、５３…上方分断部、５１１，５２１ａ，５２２ａ，５３１…分断部、５１２，５１２ａ，５２１ｂ，５２２ｂ，５３２…固定部、６１…第一取付部、６２…第二取付部、７…回収部、８…電源部、９…錘部、１０…移動手段、Ｃ…中心、Ｄ…対向距離、Ｐ…開口、Ｓ１，Ｓ２…スリット、Ｔ…飛来物、Ｗ…電線
【図１】
0006481890.tif 000002
【図２】
0006481890.tif 000003
【図３】
0006481890.tif 000004
【図４】
0006481890.tif 000005
【図５】
0006481890.tif 000006
【図６】
0006481890.tif 000007
【図７】
0006481890.tif 000008
【図８】
0006481890.tif 000009
【図９】
0006481890.tif 000010
【図１０】
0006481890.tif 000011